(57)【特許請求の範囲】
【請求項１】
本体ケース（４）で構成されるグリップ部（１）と、グリップ部（１）とは別体に構成されて、グリップ部（１）の一端外方に隣接配置されるヘッド部（２）とを備えており、
ヘッド部（２）は、左右揺動できるようグリップ部（１）で支持されており、
ヘッド部（２）は、復帰構造で中立位置に位置保持されており、
復帰構造がヘッド部（２）を中立位置へ向かって復帰付勢するばね体（４１）を含んで構成されており、
ヘッド部（２）の重心位置（Ｇ）が、グリップ部（１）の中心軸線（Ｐ）の上側延長線と、前記中心軸線（Ｐ）と平行で本体ケース（４）の後面突端を通る仮想線（Ｔ）の上側延長線との間で、本体ケース（４）の左右幅寸法（Ｂ）の範囲内に配置してある電気かみそり。
【請求項２】
ヘッド部（２）がグリップ部（１）の上方に傾斜配置されて、ヘッド部（２）の中心軸線（Ｒ）とグリップ部（１）の中心軸線（Ｐ）とが交差するように配置してある請求項１記載の電気かみそり。
【請求項３】
グリップ部（１）とヘッド部（２）を連結する連結軸（３）とを備えており、
ヘッド部（２）は、連結軸（３）を中心にして左右揺動できるようグリップ部（１）で支持されており、
連結軸（３）の中心軸線（Ｑ）が、ヘッド部（２）の重心位置（Ｇ）よりメイン刃（１６）の側へ偏った位置に設けてある請求項２記載の電気かみそり。
【請求項４】
ヘッド部（２）が、本体ケース（４）の上方に突出する支持アーム（５）と、支持アーム（５）の突端寄りに設けられる連結軸（３）を介して支持してある請求項２または３記載の電気かみそり。
【請求項５】
支持アーム（５）が本体ケース（４）の前面側に設けられて、ヘッド部（２）を本体ケース（４）の上端上方において支持しており、
本体ケース（４）の上方に、ヘッド部（２）と支持アーム（５）と本体ケース（４）の三者で囲まれる指掛け空間（Ｓ）が確保してある請求項２から４のいずれかに記載の電気かみそり。
【請求項６】
本体ケース（４）が上下に長い卵形に形成してある請求項２から５のいずれかに記載の電気かみそり。
【請求項７】
ヘッド部（２）が反転操作できるよう支持されており、
メイン刃（１６）がヘッド部（２）の中心軸線（Ｒ）の傾斜上端に位置する使用姿勢と、メイン刃（１６）がヘッド部（２）の中心軸線（Ｒ）の傾斜下端に位置する不使用姿勢との間で、ヘッド部（２）を反転操作できる請求項２から６のいずれかに記載の電気かみそり。
【請求項８】
ヘッド部（２）の中心軸線（Ｒ）の傾斜上端にメイン刃（１６）が設けられ、ヘッド部（２）の中心軸線（Ｒ）の傾斜下端にきわ剃り刃（１７）が配置してある請求項７記載の電気かみそり。
【発明の詳細な説明】
【技術分野】
【０００１】
本発明は、本体ケースを含むグリップ部とヘッド部とを有し、ヘッド部がグリップ部に対して揺動可能に支持してある電気かみそりに関する。
【背景技術】
【０００２】
本発明に関して、電源部と、駆動部と、これら両者を回転自在に連結する連結部とで電気かみそりを構成することが特許文献１に公知である。電源部には電池が収容してあり、駆動部にはモーターと内刃と外刃などが組み込んである。不使用状態においては、電源部と駆動部とが前後に隣接する状態で折り畳むことにより、上下方向の全長寸法を小さくすることができる。使用時には、電源部または駆動部を連結部の回りに回転操作することにより、連結部の上下に駆動部と電源部を突出させて、上下方向の全長寸法を大きくすることができる。ただし、特許文献１の電気かみそりは、電源部と駆動部とを折り畳み姿勢と、長尺姿勢との間で姿勢を変更できるだけであり、ヘッド部（かみそりヘッド部）を肌面に密着させるための浮動支持構造とは無関係である。
【０００３】
本発明のヘッド部は、連結軸の回りに首振り可能に支持するが、このようにヘッド部を１軸回りに旋回可能に支持し、中立位置へ向かってばねで復帰付勢する電気かみそりは特許文献２に公知である。そこでは、旋回動作に加えて、ヘッド部を前後一対の揺動軸で左右揺動可能に支持している。揺動軸はヘッド部と旋回変位する旋回台との間に設けてある。
【０００４】
【特許文献１】実公昭５０−４４３１１号公報（第１頁左欄３０〜３７行、第２図）
【特許文献２】特開２００６−２５５３３６号公報（段落番号００３２、図１）
【発明の開示】
【発明が解決しようとする課題】
【０００５】
従来の電気かみそりは、本体ケースの上部に設けたヘッド部を浮動支持構造で支持することにより、ヘッド部を肌面の変化に追随して前後や左右へ傾動させ、外刃を肌面に密着できるようにしている。この種の浮動支持構造は、ヘッド部の自由度が高いほど外刃を肌面の変化に追随して密着させることができる。しかし、自由度が高くなるほど浮動支持構造が複雑になるのを避けられず、しかも、本体ケースとヘッド部との間の限られたスペースに浮動支持構造を集約配置する必要があるため、組立に多くの手間が掛かり、電気かみそりの全体コストが嵩む一因になっている。また、ヘッド部を傾動変位できる範囲が本体ケースによって制約を受けやすく、ヘッド部の傾動または揺動できる範囲を必要かつ十分に確保することが困難であった。
【０００６】
本発明の目的は、電気かみそりの構造を根本的に見直すことによりヘッド部の浮動支持構造を簡素化し、さらにヘッド部の揺動範囲を必要かつ十分に確保できるようにし、以て、ヘッド部を肌面に密着させて好適にひげ切断を行うことができる電気かみそりを提供することにある。本発明の目的は、従来の電気かみそりに比べて使いやすく、しかもメンテナンス作業を簡便に行うことができる電気かみそりを提供することにある。本発明の目的は、楽な姿勢でひげ切断を的確に行うことができる電気かみそりを提供することにある。
【課題を解決するための手段】
【０００７】
本発明の電気かみそりは、本体ケース４で構成されるグリップ部１と、グリップ部１とは別体に構成されて、グリップ部１の一端外方に隣接配置されるヘッド部２と、これら両者１・２を連結する連結軸３とを備えていて、連結軸３の中心軸線Ｑがグリップ部１の中心軸線Ｐに対して交差する状態で配置してある。ヘッド部２は、連結軸３を中心にして左右揺動できるようグリップ部１で支持されて、ヘッド部２と連結軸３との間に設けた復帰構造で中立位置に位置保持される。復帰構造はヘッド部２を中立位置へ向かって復帰付勢するばね体４１を含んで構成する。
【０００８】
ヘッド部２はグリップ部１の上方に傾斜配置する。以て、ヘッド部２の中心軸線Ｒとグリップ部１の中心軸線Ｐとが交差するように配置される。
【０００９】
連結軸３の中心軸線Ｑを、ヘッド部２の重心位置Ｇよりメイン刃１６の側へ偏った位置に設ける。
【００１０】
ヘッド部２の重心位置Ｇを、グリップ部１の中心軸線Ｐの上側延長線上と、前記中心軸線Ｐと平行で本体ケース４の後面突端を通る仮想線Ｔの上側延長線との間で、本体ケース４の左右幅寸法Ｂの範囲内に配置する。
【００１１】
ヘッド部２を、本体ケース４の上方に突出する支持アーム５と、支持アーム５の突端寄りに設けられる連結軸３を介して支持する。
【００１２】
支持アーム５を本体ケース４の前面側に設けて、ヘッド部２を本体ケース４の上端上方において支持する。以て、本体ケース４の上方に、ヘッド部２と支持アーム５と本体ケース４の三者で囲まれる指掛け空間Ｓを確保する。
【００１３】
本体ケース４は上下に長い卵形に形成する。
【００１４】
ヘッド部２を連結軸３の回りに反転操作できるよう支持する。以て、メイン刃１６がヘッド部２の中心軸線Ｒの傾斜上端に位置する使用姿勢と、メイン刃１６がヘッド部２の中心軸線Ｒの傾斜下端に位置する不使用姿勢との間で、ヘッド部２を反転操作できるようにする。
【００１５】
ヘッド部２の中心軸線Ｒの傾斜上端にメイン刃１６を設け、ヘッド部２の中心軸線Ｒの傾斜下端にきわ剃り刃１７を配置する。
【発明の効果】
【００１６】
本発明においては、グリップ部１とは別体のヘッド部２を、グリップ部１の一端外方に隣接配置してこれら両者１・２を連結軸３で連結し、さらに連結軸３の中心軸線Ｑをグリップ部１の中心軸線Ｐに対して交差する状態で配置することにより、ヘッド部２が連結軸３を中心にして左右揺動できるようにした。また、ヘッド部２と連結軸３との間に復帰構造を設けて、そのばね体４１によって左右揺動したヘッド部２を中立位置へ向かって復帰できるようにした。
【００１７】
上記のように、グリップ部１とは別体のヘッド部２を連結軸３を中心にして左右揺動可能とする電気かみそりによれば、本体ケース４からなるグリップ部１に邪魔されることもなくヘッド部２を大きく左右揺動させることができるので、従来構造の電気かみそりに比べてヘッド部２を肌面の変化に追随して必要かつ十分に揺動させ、肌面に密着させて好適にひげ切断を行うことができる。また、グリップ部１とは別体のヘッド部２を連結軸３で支持する基本構造を採るので、ヘッド部２の自由度が高いにもかかわらず、ヘッド部２を浮動支持するための構造を簡素化できる。
【００１８】
ヘッド部２の中心軸線Ｒとグリップ部１の中心軸線Ｐとが交差するように、ヘッド部２をグリップ部１の上方に傾斜配置する電気かみそりによれば、ヘッド部２が左右揺動する領域をグリップ部１の上方に限ることができ、したがって、ヘッド部２が左右揺動するとき、その一部が本体ケース４を掴む手に接当緩衝するのをよく防止できる。また、ヘッド部２を傾斜配置することにより、本体ケース４を掴んだ状態において、ヘッド部２の前端に位置するメイン刃１６を肌面に正対させることができるので、楽な姿勢でひげ剃りを行うことができ、ヘッド部と本体ケースとが一体的に設けられていた従来の電気かみそりに比べて、使い勝手を向上できる。
【００１９】
連結軸３の中心軸線Ｑをヘッド部２の重心位置Ｇよりメイン刃１６の側へ偏った位置に設ける電気かみそりによれば、ヘッド部２を復帰構造のばね体４１で中立位置へ復帰操作する際に、ヘッド部２を連結軸３の回りの重量モーメントによっても復帰揺動させることができるので、ヘッド部２の中立位置への復帰動作をさらに円滑に行って、左右揺動しやすい電気かみそりであるにもかかわらず、ヘッド部２を使用頻度が最も高い中立位置に確実に保持して、安定した状態でひげ剃りを行える。
【００２０】
ヘッド部２の重心位置Ｇを、グリップ部１の中心軸線Ｐの上側延長線と、前記中心軸線Ｐと平行で本体ケース４の後面突端を通る仮想線Ｔの上側延長線との間で、本体ケース４の左右幅寸法Ｂの範囲内に配置する電気かみそりによれば、本体ケース４を手で掴んだ状態におけるヘッド部２の重量モーメントを、ゼロ若しくはごく小さなものとすることができ、したがって、持ち重りしにくく、使い勝手のよい電気かみそりが得られる。
【００２１】
ヘッド部２を本体ケース４の上方に突出する支持アーム５と、支持アーム５の突端寄りに設けられる連結軸３を介して支持する支持構造によれば、本発明の電気かみそりの外観状の印象を、従来の電気かみそりに比べて斬新で軽快なものとして、ユーザーに対する訴求力を向上し、鮮烈な印象を与えることができる。ヘッド部２が本体ケース４から充分に離れた位置において支持されるので、ヘッド部２および本体ケース４の外面に付着する毛屑などを容易にしかも的確に清掃除去でき、しかも、ヘッド部２の内部に溜まる毛屑などの清掃を、本体ケース４に邪魔されることもなく簡便に行うことができる。
【００２２】
支持アーム５を本体ケース４の前面側に設けて、ヘッド部２を本体ケース４の上端上方において支持し、以て、本体ケース４の上方に、ヘッド部２と支持アーム５と本体ケース４の三者で囲まれる指掛け空間Ｓを確保する電気かみそりによれば、本体ケース４を掴んだ状態において、最も上方に位置する人差し指を指掛け空間Ｓに収容して、人差し指がヘッド部２の一部に接当するのを回避でき、したがって、本体ケース４を掴むときのグリップ感を向上しながら、安定した状態で電気かみそりを使用できる。
【００２３】
本体ケース４を上下に長い卵形に形成すると、片手で掴む際に本体ケース４を手のひらで包み込んで、ごく自然に本体ケース４を握り締めて安定的に支持でき、握りやすくしかも使いやすい電気かみそりとすることができる。
【００２４】
ヘッド部２を連結軸３の回りに反転操作できるよう支持した電気かみそりによれば、図８に示すように、ヘッド部２を反転操作し、さらに外刃ホルダー１８をヘッドケース１５から取り外したのち、電気かみそりの全体を上下に反転した状態で本体ケース４を片手で掴むことにより、内刃１６ａに流水を流しかけながら毛屑を容易に洗い流すことができ、しかも手指が流水によって濡れるのを防止できる。
【００２５】
ヘッド部２の中心軸線Ｒの傾斜上端にメイン刃１６を設け、ヘッド部２の中心軸線Ｒの傾斜下端にきわ剃り刃１７を配置する電気かみそりによれば、ヘッド部２を反転操作してきわ剃り刃１７を傾斜上端に位置させることにより、もみ上げ部分などの切断を簡便に行うことができ、電気かみそりの使い勝手をさらに向上できる。
【発明を実施するための最良の形態】
【００２６】
（実施例１）  図１ないし図１０は本発明に係る電気かみそりの実施例１を示す。図１および図２において、電気かみそりはグリップ部１と、グリップ部１の上端上方に配置されるヘッド部２と、これら両者１・２を連結する連結軸３などで構成する。グリップ部１は本体ケース４で構成されており、その前面上部に突設される支持アーム５の上端に連結軸３が配置してある。
【００２７】
本体ケース４は、前後に分割形成される前ケース４ａおよび後ケース４ｂを蓋合わせ状に接合して上下に長い卵形に形成してある。本体ケース４の内部には、２次電池８と、制御回路が実装された回路基板９と、充電用のコネクター１０などが配置してある。本体ケース４の前面上下には、モーター２０への通電を制御するスイッチボタン１１と、ＬＥＤを光源とする表示灯１２が組み込んである。先の回路基板９に、スイッチボタン１１で切り換え操作されるスイッチ１３が組み付けてある。
【００２８】
支持アーム５は、本体ケース４の前面上半部に密着する基部５ａと、基部５ａに連続して湾曲しながら本体ケース４の上部前方へ延びる連結部５ｂとを一体に備えたプラスチック成形品からなり、本体ケース４に締結固定される。図２に示すように、正面から見るときの支持アーム５は、連結部５ｂの側から基部５ａへ向かって幅狭に形成され、側面から見るときの支持アーム５は逆し字状に形成されて全体が１個の中空板状体として形成してある。連結部５ｂは本体ケース４の上方に突出されて、グリップ部１の中心軸線Ｐに対して前上がり傾斜状に傾斜させてある。なお、支持アーム５は前ケース４ａと一体に成形することができる。
【００２９】
図３および図４に示すようにヘッド部２は、ヘッドケース１５を外殻体にして、その上部に前後一対のメイン刃１６を配置し、その下部にきわ剃刃１７を配置してなる。ヘッドケース１５は、シェル状に形成される一対の半ケース体１５ａ・１５ｂを蓋合わせ状に接合して構成する。メイン刃１６は、回転駆動されるロータリー式の内刃１６ａと、外刃ホルダー１８でアーチ状に保形される網刃からなる外刃１６ｂとで構成してある。きわ剃刃１７は、ヘッドケース１５の下部に突出する固定刃１７ａと可動刃１７ｂとでバリカン刃状に構成する。
【００３０】
先の内刃１６ａを回転駆動し、同時に可動刃１７ｂを往復駆動するために、ヘッドケース１５の内部にモーター２０を縦置き配置し、その出力軸をモーターハウジングの上下両端に突出している。モーター２０の回転動力は、ギヤ機構を介して内刃１６ａに伝動される。ギヤ機構は、モーター２０の上側の出力軸に固定される原動ギヤ２１と、原動ギヤ２１の回転動力を出力軸と直交する第２軸２２の回りの回転動力に変換するフェースギヤ２３と、第２軸２２の回転動力を内刃１６ａへ伝動する平歯車群２４などで構成する。スイッチボタン１１を押し込み操作すると、モーター２０が起動し、ギヤ機構を介して伝動される回転動力によって内刃１６ａが回転駆動され、内刃１６ａと外刃１６ｂとのせん断作用によってひげが切断される。
【００３１】
図３において符号２５は、前後の内刃１６ａを回転自在に軸支する内刃支持台である。外刃ホルダー１８はヘッドケース１５に対して着脱可能に装着されており、外刃ホルダー１８をヘッドケース１５から取り外した状態においては、内刃支持台２５やヘッドケース１５の上部に付着した毛屑を清掃し除去できる。モーター２０の回転動力は、下側の出力軸に固定した偏心カム２６と、偏心カム２６の駆動ピンに係合連結される受動枠２７とで往復動力に変換され、受動枠２７から可動刃１７ｂへと伝動される。
【００３２】
メイン刃１６を肌面の変化に追随して密着させるために、ヘッド部２を浮動支持している。具体的には、ヘッド部２を連結軸３で左右揺動可能に支持し、さらにヘッド部２の全体をヘッド部２の傾斜中心軸線Ｒに沿って往復スライド可能に支持している。図４に示すように連結軸３は、支持アーム５に組み付けられる軸基部２９と、軸基部２９に連続して設けられる支軸３０と、支軸３０の突端に設けられる角軸部３１（図５参照）と、軸基部２９の基端左右に張り出し形成されるスライド片３２とを一体に備えたプラスチック成形品からなる。支軸３０でヘッドケース１５の半ケース体１５ａに設けた回動穴３３を軸支することにより、ヘッド部２の全体が連結軸３の回りに揺動自在に支持される。ヘッド部２が支軸３０の回りに揺動するとき、連結軸３がヘッド部２と同行回転するのを防ぐために、軸基部２９を非円形断面に形成している。具体的には、軸基部２９の対向周面に平坦面からなる回止め面２９ａを形成し、これを後述するスライド溝３８で受け止めている。
【００３３】
図５および図６に示すように横長四角形状に形成されるスライド片３２は、支持アーム５の連結部５ｂの内部に設けたガイド溝３６で往復スライド自在に案内支持する。連結軸３を連結部５ｂの突端側の待機位置へ向かって復帰付勢するために、ガイド溝３６の端部とスライド片３２との間に圧縮コイル形のばね３７を配置している。また、連結部５ｂのヘッド部２との対向壁には、軸基端２９の往復スライドを許すスライド溝３８が形成してある（図５参照）。ヘッド部２はスライド溝３８の範囲内で先の傾斜中心軸線Ｒに沿って往復スライドできる。これにより、ヘッド部２は連結軸３回りの左右揺動動作に加えて、支持アーム５に対して肌面から離れる向きへ沈み込み変位できるので、肌面に対する負担を軽減しながらひげ切断を軽快に行える。
【００３４】
左右揺動可能に支持されたヘッド部２を、常態において中立位置に位置保持するために、連結軸３の角軸部３１と半ケース体１５ａとの間に復帰構造を設けている。図５に示すように復帰構造は、角軸部３１に装着固定される拡開ブロック４０と、拡開ブロック４０の周面を挟み保持する一対のばね枠（ばね体）４１とで構成する。
【００３５】
拡開ブロック４０には、一対の平坦周面４０ａと、これら両周面４０ａを繋ぐ円弧周面４０ｂとが形成してある。板ばねを素材にして形成されるばね枠４１は、拡開ブロック４０の周面に接当するハット形の挟持部４２と、挟持部４２の両端に連続する鉤形の装着片４３を一体に備えている。一対のばね枠４１は、その装着片４３を半ケース体１５ａに設けた左右一対の装着溝４４に差し込み係合することで半ケース体１５ａと一体化される。この組み付け状態において、一対の挟持部４２は開口面の側が対向して、平坦周面４０ａを挟持部４２で挟み保持している。符号４５は連結軸３の軸心に形成した穴を利用して配線される給電リードであり、この給電リード４５を介してモーター２０に駆動電流を供給する。給電リード４５の一端はモーター２０に接続され、他端側は支持アーム５の内部空間を経て本体ケース４内へ導入され、回路基板９に接続される。
【００３６】
本体ケース４で構成されるグリップ部１とヘッド部２と連結軸３の三者は、以下の関係を満足するように配置してある。図１に示すように電気かみそりを側面から見るときのグリップ部１の中心軸線をＰ、連結軸３の中心軸線をＱ、ヘッド部２の中心軸線をＲとするとき、連結軸３の中心軸線Ｑをグリップ部１の中心軸線Ｐに対して斜めに交差させる。また、ヘッド部２をグリップ部１の上方に傾斜配置して、ヘッド部２の中心軸線Ｒをグリップ部１の中心軸線Ｐと斜めに交差させる。さらに、図１および図１１に示すように、ヘッド部２の重心位置Ｇを、グリップ部１の中心軸線Ｐの上側延長線上と、前記中心軸線Ｐと平行で本体ケース４の後面突端を通る仮想線Ｔの上側延長線との間で、本体ケース４の左右幅寸法Ｂの範囲内に位置させ、連結軸３の中心軸線Ｑをヘッド部２の重心位置Ｇよりメイン刃１６の側へ偏った位置に設ける。なお、仮想線Ｔの位置は、側面から見るときの本体ケース４の最も後端の位置を意味し、この実施例のように本体ケース４の横断面形状が円形や楕円形などである場合には、仮想線Ｔが本体ケース４の最後端の１点を通る垂直線となり、例えば本体ケース４の横断面形状が四角形であるような場合には、仮想線Ｔが本体ケース４の後面を通る垂直線となる。この実施例における連結軸３の中心軸線Ｑはヘッド部２の中心軸線Ｒと直交する。モーター２０の配置位置によっては、ヘッド部２の重心位置Ｇをグリップ部１の中心軸線Ｐの上側延長線上に設けることができる。
【００３７】
先に説明したように、連結部５ｂをグリップ部１の中心軸線Ｐに対して前上がり傾斜状に傾斜させ、中心軸線Ｒが傾斜する連結部５ｂと平行になる状態でヘッド部２を支持し、連結軸３の中心軸線Ｑをヘッド部２の中心軸線Ｒと直交させる支持構造によれば、グリップ部１の中心軸線Ｐと、連結軸３の中心軸線Ｑと、ヘッド部２の中心軸線Ｒとの三者は互いに交差する関係となり、ヘッド部２はグリップ部１に対して傾斜支持された状態で、連結軸３の回りに左右揺動できることとなる。また、支持アーム５の背面側にヘッド部２と支持アーム５と本体ケース４の三者で囲まれる指掛け空間Ｓが確保される。
【００３８】
グリップ部１とヘッド部２と支持アーム５の各部の寸法は、以下のように設定する。図２に示すようにヘッド部２の左右幅寸法をＡ、グリップ部１の左右幅寸法をＢ、支持アーム５の連結部５ｂの左右幅寸法をＣとするとき、
（Ａ＞Ｂ＞Ｃ）とする。
また、図１に示すようにヘッド部２の厚み寸法をＤ、グリップ部１の前後厚み寸法をＥ、支持アーム５の厚み寸法をＦとするとき、
（Ｆ＜Ｄ＜Ｅ）とする。さらに、
（Ａ＞Ｄ）、（Ｃ＞Ｄ）、（Ｂ＝Ｅ）とする。
【００３９】
以上のように構成した電気かみそりは、例えば図７に示すように本体ケース４を片手で掴んだ状態で使用する。このとき、人差し指、中指、薬指、小指の四指で本体ケース４の背面側を掴み、親指を支持アーム５の前面にあてがうことにより、電気かみそりを安定した状態で確りと掴み保持することができる。また、人差し指を本体ケース４と支持アーム５で挟まれた指掛凹部４６に引っ掛けることにより、電気かみそりをさらに強固に掴み保持することができる。人差し指を指掛凹部４６に引っ掛けた状態においては、その第２関節が指掛け空間Ｓに収容される。そのため、ヘッド部２が左右揺動するときヘッドケース１５が人差し指と接当干渉することはなく、したがって、ヘッド部２を肌面の変化に追随して左右揺動させ、あるいはヘッド部２の中心軸線Ｒに沿って沈み込み変位できる。
【００４０】
ヘッド部２は、常態において復帰構造で図２および図５に示す中立位置に位置保持される。この状態からヘッド部２が左右揺動すると、ばね枠４１がヘッドケース１５に同行して揺動し、一対のばね枠４１の挟持部４２が、拡開ブロック４０の円弧周面４０ｂに押されて外拡がり状（平坦周面４０ａから離れる向き）に弾性変形される。このとき、一方の挟持部４２と円弧周面４０ｂの接触部分と、他方の挟持部４２と円弧周面４０ｂの接触部分とは、拡開ブロック４０を中心を通る径方向線上にあり、しかも先の径方向線はヘッド部２の中心軸線Ｒと同じ向きに傾いている。そのため、弾性変形している一対の挟持部４２は、拡開ブロック４０から互いに逆向きの反力を受ける。
【００４１】
上記の反力によるモーメントは、支持アーム５に対して揺動しているヘッド部２を中立位置へ復帰させるように作用する。例えば、ヘッド部２が時計の文字盤の１２時の位置から２時の位置まで揺動した状態では、ヘッド部２を１２時の位置へ復帰させる反力モーメントが作用する。したがって、ヘッド部２に作用する外力が開放されるのと同時に、ヘッド部２は速やかに１２時の位置、つまり中立位置へ復帰操作される。ヘッド部２が逆方向へ揺動する場合にも、同様にしてヘッド部２を中立位置へ復帰操作することができる。先に説明したように、連結軸３の中心軸線Ｑはヘッド部２の重心位置Ｇよりメイン刃１６の側へ偏った位置に設けてある。そのため、ヘッド部２が左右揺動すると連結軸３の回りに重量モーメントが作用し、この重量モーメントが先の反力によるモーメントに付加されるので、ヘッド部２を中立位置へ速やかに戻すことができる。
【００４２】
きわ剃刃１７を使用するときは、ばね枠４１の弾性に逆らいながら、図７に想像線で示すようにヘッド部２の全体を連結軸３の回りに反転回動操作して、きわ剃刃１７をヘッド部２の傾斜上端に位置させる。この状態では、連結軸３の中心軸線Ｑがヘッド部２の重心位置Ｇよりメイン刃１６の側へ偏った位置に設けてあるので、メイン刃１６がヘッド部２の傾斜上端に位置させてあるときに比べて、きわ剃刃１７を支持アーム５から大きく突出させて、もみあげ部分の切断を容易に行うことができる。
【００４３】
上記のようにヘッド部２を反転操作した状態では、メイン刃１６がヘッド部２の傾斜下端側を指向する。この状態の電気かみそりの全体を上下に反転したのち、その本体ケース４を片手で掴むことにより、図８に示すように本体ケース４を掴む手指より下方にメイン刃１６を位置させることができる。したがって、外刃ホルダー１８をヘッドケース１５から取り外したのち、内刃１６ａに流水を流しかけることにより毛屑を洗い流すことができ、このとき手指が流水によって濡れるのを防止できる。
【００４４】
実施例１に係る電気かみそりの外観を図９および図１０に示している。図９では電気かみそりの正面図、平面図、底面図、および電気かみそりを斜め前方から見た斜視図を示している。図１０では電気かみそりの正面図、右側面図、背面図を示しており、左側面図は右側面図と対称となるため省略している。
【００４５】
（実施例２）  図１２および図１３は本発明に係る電気かみそりの実施例２を示す。そこでは、先の実施例における支持アーム５を省略して、本体ケース４で連結軸３を介してヘッド部２を支持するようにした。また、ヘッド部２に固定した左右一対の連結軸３を本体ケース４に設けた復帰構造で、ヘッド部２の中心軸線Ｒに沿って沈み込み変位可能に、しかも左右揺動可能に浮動支持した。本体ケース４の上部背面にはケース前面へ向かって上り傾斜する連結部５１が形成してあり、ヘッド部２は、その中心軸線Ｒが連結部５１の傾斜面と平行になるように傾斜配置する。モーター２０はヘッドケース１５に横置き配置してあり、その回転動力を平歯車群２４で内刃に伝える。この実施例における連結軸３はヘッドケース１５の半ケース体１５ａと一体に形成するが、連結軸３を独立部品で形成して先の半ケース体１５ａに固定することができる。
【００４６】
復帰構造は、先の一対の連結軸３と、各連結軸３を中立位置へ復帰付勢する復帰ばね５２と、連結部５１に開口されて各連結軸３の左右揺動範囲を規定する左右一対の浮動開口５３と、左右傾動した連結軸３を中立位置へ復帰操作する弾性アーム５４などで構成する。四角形状に形成される浮動開口５３は、連結軸３の沈み込み移動を案内するガイド壁５５と、復帰ばね５２の引っ張り力に抗して連結軸３を受け止める開口上縁の規制壁５６、および底壁５７を備えている。
【００４７】
復帰ばね５２は引っ張りばねからなり、その一端が連結部５１の内面に固定した掛止ピン５８に掛止され、他端が各連結軸３に形成してある。復帰ばね５２は浮動開口５３のガイド壁５５に沿って底壁５７の側へ沈み込み移動したヘッド部２を、図１３に示す中立位置へ復帰操作する。弾性アーム５４は、片持ち梁状のプラスチック製の板ばねとして形成してあり、常時連結軸３をガイド壁５５へ向かって押し付け操作する。これにより連結軸３は、弾性アーム５４とガイド壁５５、および復帰ばね５２と規制壁５６とで、各浮動開口５３の上隅の中立位置に位置保持される。他は先の実施例と同じであるので、同じ部材に同じ符号を付してその説明を省略する。以下の実施例においても同様に、同じ部材に同じ符号を付してその説明を省略する。
【００４８】
以上のように構成した電気かみそりによれば、両連結軸３・３のいずれか一方を揺動中心にしてヘッド部２を揺動変位でき、あるいは左右一対の両連結軸３・３を同時に逆向きに揺動させてヘッド部２を揺動変位できる。連結軸３を中心にしてヘッド部２を揺動変位する実施例１の復帰構造に比べると、ヘッド部２の姿勢変化範囲を拡大でき、しかも揺動したヘッド部２を弾性アーム５４と復帰ばね５２とで急速に復帰操作できる。なお、実施例１におけるばね枠（ばね体）４１の機能は、この実施例における弾性アーム５４と復帰ばね５２とが協同して発揮する。この実施例における弾性アーム５４は省略することができ、その場合には、復帰ばね５２の付勢力だけでヘッド部２を中立位置へ復帰操作することができる。
【００４９】
（実施例３）  図１４は本発明に係る電気かみそりの実施例３を示す。そこでは、実施例１における支持アーム５に換えてモーターケース６０を設け、モーターケース６０に設けた連結軸３でヘッド部２を支持するようにした。モーターケース６０は本体ケース４で出没可能に支持されて、本体ケース４の斜め前上方へ突出しており、その傾斜下端と本体ケース４との間に配置したばね３７で進出付勢してある。ヘッド部２はその中心軸線Ｒがモーターケース６０の出没方向と平行になる状態で配置してあり、モーターケース６０に固定した連結軸３で左右揺動可能に支持してある。
【００５０】
連結軸３とヘッドケース１５との間には実施例１で説明した復帰構造が設けてあり、したがってヘッド部２は、任意の左右揺動位置から速やかに中立位置へ復帰できる。モーターケース６０に収容したモーター２０の回転動力は、連結軸３の中心を貫通する出力軸を介してヘッドケース１５の内部へ伝動され、フェースギヤ２３や第２軸２２、および平歯車群２４を介して内刃１６ｂへ伝動される。
【００５１】
（実施例４）  図１５および図１６は本発明に係る電気かみそりの実施例４を示す。そこでは、ヘッドケース１５と、ヘッドケース１５で出没可能に支持される前後一対の駆動ユニット６２などでヘッド部２を構成し、駆動ユニット６２のそれぞれに回転駆動される内刃１６ａを備えたメイン刃１６を設けた。図１６に示すように駆動ユニット６２は、内刃支持台６３を基体にして構成してあり、内刃支持台６３の左右両側のスライド脚６４をヘッドケース１５に設けたガイド溝６５で出没自在に案内支持し、スライド脚６４とガイド溝６５の溝底壁との間に配置したばね６６で進出付勢してある。
【００５２】
内刃支持台６３の内部には、ロータリー式の内刃１６ａと、モーター動力を内刃１６ａに伝動するギヤ構造とが設けてあり、ヘッドケース１５の内部にはモーター２０と、モーター動力を各駆動ユニット６２のギヤ構造へ伝動する伝動構造とが設けてある。先のギヤ構造は、実施例１におけるギヤ伝動構造と同様に、駆動ギヤ６７、フェースギヤ２３、第２軸２２、および平歯車群２４などで構成してある。モーター動力は原動ギヤ２１に噛み合う減速ギヤ６８と、同ギヤ６８に噛み合う受動ギヤ６９とで左右に分岐され、受動ギヤ６９と先の駆動ギヤ６７との間に設けた伸縮継手７０を介して、内刃支持台６３の内部へ伝動される。
【００５３】
伸縮継手７０は、受動ギヤ６９と同行回転する駆動ピン７１を備えた前段軸７２と、駆動ピン７１と係合する係合溝７３を備えた後段軸７４とからなり、後段軸７４が駆動ユニット６２に同行するときの出没動作を、駆動ピン７１と係合溝７３とが相対スライドすることで吸収できるように構成してある。このように、各駆動ユニット６２に対応して伸縮継手７０を設けると、各駆動ユニット６２を独立して出没させて肌面に密着させることができる。なお、ヘッド部２は実施例１と同様に、連結軸３を中心にして左右揺動可能に支持され、図示省略した復帰構造で中立位置へ向かって復帰付勢してある。外刃ホルダー１８は、内刃支持台６３に対して着脱自在に装着してある。
【００５４】
（実施例５）  図１７は本発明に係る電気かみそりの実施例５を示す。そこでは、ヘッドケース１５と、ヘッドケース１５で出没可能に支持される前後一対の駆動ユニット６２などでヘッド部２を構成した。各駆動ユニット６２は駆動ケース７７を基体にして構成してあり、各駆動ケース７７のそれぞれにメイン刃１６と、内刃１６ａを回転駆動するモーター２０と、モーター動力を伝動するフェースギヤ２３、第２軸２２、および平歯車群２４などを配置した。各駆動ユニット６２は、ヘッドケース１５で出没自在に案内支持され、駆動ケース７７の底壁とヘッドケース１５との間に配置したばね７８で進出付勢してある。
【００５５】
なお、この実施例におけるヘッド部２は、実施例１と同様に連結軸３を中心にして左右揺動可能に支持され、図示省略した復帰構造で中立位置へ向かって復帰付勢してある。外刃ホルダー１８は、駆動ケース７７に対して着脱自在に装着される。
【００５６】
（実施例６）  図１８は本発明に係る電気かみそりの実施例６を示す。そこでは、前後一対の駆動ユニット６２でヘッド部２を構成し、各駆動ユニット６２を実施例５の駆動ユニット６２と同様に構成した。そのうえで、一方の駆動ユニット６２の駆動ケース７７を実施例３のモーターケース６０と同様に本体ケース４で出没可能に支持し、ばね３７で進出付勢した。また、本体ケース４で出没可能に支持される側の駆動ケース７７に連結軸３を固定し、他方の駆動ユニット６２のみを連結軸３の回りに左右揺動可能に支持した。したがって、この実施例におけるヘッド部２では、最上部に位置する駆動ユニット６２のみが、実施例１と同様に連結軸３を中心にして左右揺動可能に支持され、図示省略した復帰構造で中立位置へ向かって復帰付勢してある。外刃ホルダー１８は、駆動ケース７７に対して着脱自在に装着される。
【００５７】
（実施例７）  図１９および図２０は本発明に係る電気かみそりの実施例７を示す。そこでは、実施例２と同様にヘッド部２を連結軸３を介して本体ケース４で支持するようにした。また、ヘッドケース１５に固定した連結軸３の中心軸線Ｑを本体ケース４の中心軸線Ｐと直交させて、ヘッド部２の中心軸線Ｒと本体ケース４の中心軸線Ｐとが平行になるようにした。メイン刃１６は往復駆動される内刃１６ａと網刃からなる外刃１６ｂとで構成してあり、モーター動力を偏心カム７９と振動子８０とで往復動力に変換したのち内刃１６ａに伝動できるようになっている。ヘッド部２は、先の連結軸３とともに左右揺動でき、連結軸３と本体ケース４との間に設けた復帰構造で任意の揺動位置から中立位置へ復帰操作される。
【００５８】
図２０において、連結軸３は本体ケース４に設けたボス８１で回動自在に支持されており、軸周面の左右両側に引っ張りばねからなるばね体４１が掛止してある。各ばね体４１の他端はそれぞれ本体ケース４に設けた掛止ピン８２に掛止してある。ヘッド部２が左右揺動すると、ばね体４１が掛止ピン８２を中心にして斜めに傾動しながら伸長変形される。そのため連結軸３には、ばね体４１によってヘッド部２の左右揺動変位に見合った復帰モーメントが作用し、この復帰モーメントによってヘッド部２を中立位置へ戻すことができる。
【００５９】
（実施例８）  図２１および図２２は本発明に係る電気かみそりの実施例８を示す。そこでは、実施例２と同様にヘッド部２を連結軸３を介して本体ケース４で支持するようにした。また、本体ケース４の上部にケース前面へ向かって上り傾斜する連結部５１を形成し、ヘッド部２をその中心軸線Ｒが連結部５１の傾斜面と平行になるように傾斜配置した。図示していないが、連結軸３とヘッドケース１５との間には実施例１で説明した復帰構造が設けてあり、したがってヘッド部２は、任意の左右揺動位置から速やかに中立位置へ復帰できる。
【００６０】
この実施例では、連結軸３を手動で操作してヘッド部２を反転できるようにした。そのために、本体ケース４の前面上部に設けたノブ８５で、連結軸３を回転操作できるようにし、さらに連結軸３と本体ケース４の内面との間に節動機構を設けて、ヘッド部２が反転操作された状態において連結軸３を位置保持できるようにした。節動機構は、対向周面の２個所に係合突起８６を備えた節動リング８７と、係合突起８６に対応して本体ケース４の内面に設けられる一対の係合凹部８８とで構成する。節動リング８７は、その内面に設けたキー状の突起８９を介して、連結軸３に同行回転可能に連結してある。したがって、ノブ８５を回転操作して連結軸３を１８０度回転させると、ヘッド部２を連結軸３と同行回転させて、メイン刃１６の位置ときわ剃刃１７の位置を入れ換えることができる。
【００６１】
上記の実施例以外に、本体ケース４は上下に長い卵形とする以外に、上半部分のみを上下に長い卵形とし下半部分は円柱状とすることができる。支持アーム５は、重量感に富む金属成形品で形成することができる。支持アーム５は、１個または複数個の中空棒状体で構成することができ、その場合の棒状体の断面外形は円形、楕円形、三角形、四角形など任意の断面形状に形成することができる。支持アーム５の中空の空間は、給電リード４５を通すための配線空間として利用される。このように、支持アーム５を棒状体で構成することにより、電気かみそりの外観上の印象を軽快感に富むデザインにすることができる。
【図面の簡単な説明】
【００６２】
【図１】電気かみそりの側面図である。
【図２】電気かみそりの正面図である。
【図３】図１におけるＪ−Ｊ線断面図である。
【図４】ヘッド部の縦断側面図である。
【図５】ヘッド部の復帰構造を示す断面図である。
【図６】連結軸の支持構造を示す断面図である。
【図７】電気かみそりの使用例を示す側面図である。
【図８】水洗い時の電気かみそりを示す側面図である。
【図９】電気かみそりの正面図、平面図、底面図、斜視図である。
【図１０】電気かみそりの正面図、右側面図、背面図である。
【図１１】ヘッド部の重心位置を示す電気かみそりの底面図である。
【図１２】実施例２に係る電気かみそりの側面図である。
【図１３】実施例２に係るヘッド部の浮動支持構造を示す断面図である。
【図１４】実施例３に係る電気かみそりの側面図である。
【図１５】実施例４に係るヘッド部の縦断側面図である。
【図１６】図１５におけるＫ−Ｋ線断面図である。
【図１７】実施例５に係るヘッド部の縦断側面図である。
【図１８】実施例６に係る電気かみそりの側面図である。
【図１９】実施例７に係る電気かみそりの側面図である。
【図２０】図１９におけるＬ−Ｌ線断面図である。
【図２１】実施例８に係る電気かみそりの一部破断側面図である。
【図２２】図２１におけるＭ−Ｍ線断面図である。
【符号の説明】
【００６３】
１  グリップ部
２  ヘッド部
３  連結軸
４  本体ケース
５  支持アーム
１６  メイン刃
１７  きわ剃り刃
４１  ばね体
Ｐ  グリップ部の中心軸線
Ｑ  連結軸の中心軸線
Ｓ  指掛け空間
【図１】
0005252537.tif 000002
【図２】
0005252537.tif 000003
【図３】
0005252537.tif 000004
【図４】
0005252537.tif 000005
【図５】
0005252537.tif 000006
【図６】
0005252537.tif 000007
【図７】
0005252537.tif 000008
【図８】
0005252537.tif 000009
【図９】
0005252537.tif 000010
【図１０】
0005252537.tif 000011
【図１１】
0005252537.tif 000012
【図１２】
0005252537.tif 000013
【図１３】
0005252537.tif 000014
【図１４】
0005252537.tif 000015
【図１５】
0005252537.tif 000016
【図１６】
0005252537.tif 000017
【図１７】
0005252537.tif 000018
【図１８】
0005252537.tif 000019
【図１９】
0005252537.tif 000020
【図２０】
0005252537.tif 000021
【図２１】
0005252537.tif 000022
【図２２】
0005252537.tif 000023